(57)【要約】      （修正有）【課題】表示制御が容易であり、また容易に且つ直感的に入力できる入力装置を提供する。【解決手段】車載装置１において入力装置１０は、指で接触可能な操作面と、操作面に沿って配置し、第１セグメント群と第２セグメント群を有し、可視光を発光可能な発光回路１３と、操作面における指の動作を検出可能なタッチパネル回路１４と、タッチパネル回路の出力に基づいて発光回路を制御する制御回路４と、を備える。制御回路は、所定の入力が受け付け可能でない場合、第１セグメント群を第１の強度で発光させ、所定の入力が受け付け可能な場合、第１セグメント群を、第１の強度より大きい第２の強度で発光させ、第１セグメント群が第２の強度で発光している間に、タッチパネル回路が第１セグメント群に沿った指の動作を検出した場合、第２セグメント群の少なくとも一部を発光させる。【選択図】図１
2020086830.tif 000002
【特許請求の範囲】
【請求項１】
少なくとも指で接触可能な操作面と、
前記操作面に沿って配置され、所定の光を発光可能な発光回路と、
前記操作面において、少なくとも指の動作を検出可能な検出回路と、を備え、
前記発光回路は、第１セグメント群と第２セグメント群とを少なくとも有し、
前記第１セグメント群は、平面視で所定の形に沿って配置され、
前記第２セグメント群は、平面視で前記第１セグメント群に沿って配置され、
前記検出回路において、所定の入力が受け付け可能でない場合、前記第１セグメント群は、第１の強度で発光し、
前記検出回路において、少なくとも前記所定の入力が受け付け可能な場合、前記第１セグメント群が、前記第１の強度より大きい第２の強度で発光し、
前記第１セグメント群が前記第２の強度で発光している間に、前記検出回路が前記第１セグメント群に沿った指の動作を検出した場合、前記第２セグメント群の少なくとも一部が発光する、
入力装置。
【請求項２】
請求項１に記載の入力装置であって、
前記第１の強度は、０（ゼロ）である、
入力装置。
【請求項３】
請求項１又は請求項２に記載の入力装置であって、
前記検出回路は、前記操作面と前記発光回路に沿って配置され、前記操作面と前記発光回路の間に配置されたタッチパネル回路である、
入力装置。
【請求項４】
請求項１から請求項３のいずれか１項に記載の入力装置であって、
前記第１セグメント群のそれぞれのセグメントは、少なくとも１つのＬＥＤを備え、
前記第２セグメント群のそれぞれのセグメントは、少なくとも１つのＬＥＤを備える、
入力装置。
【請求項５】
請求項１から請求項３のいずれか１項に記載の入力装置であって、
前記発光回路は、表示回路であって、
前記第１セグメント群と前記第２セグメント群は、前記表示回路に表示される画像として表れる、
入力装置。
【請求項６】
請求項５に記載の入力装置であって、
前記表示回路は、有機ＥＬ表示回路、もしくはバックライトを備えた液晶表示回路、である、
入力装置。
【請求項７】
請求項１から請求項６のいずれか１項に記載の入力装置であって、
前記所定の形は、円である、
入力装置。
【請求項８】
請求項１から請求項６のいずれか１項に記載の入力装置であって、
前記所定の形は、線分である、
入力装置。
【請求項９】
請求項１から請求項８のいずれか１項に記載の入力装置であって、
前記操作面に沿って配置されたシートを、更に有し、
前記シートは、前記所定の光を透過可能である、
入力装置。
【請求項１０】
請求項９に記載の入力装置であって、
前記シートは、加飾シートである、
入力装置。
【請求項１１】
請求項１０に記載の入力装置であって、
前記加飾シートは、木目を有する、
入力装置。
【請求項１２】
請求項１から請求項１１のいずれか１項に記載の入力装置であって、
前記第２セグメント群は、少なくとも第１セグメント、第２セグメント、及び第３セグメントを備え、
前記第１セグメント、前記第２セグメント、及び前記第３セグメントは、順に前記第１セグメント群に沿って配置され、
前記第１セグメント、前記第２セグメント、及び前記第３セグメントは、所定の量の大きさを示し、
前記所定の量が第１の値の場合、前記第１セグメントは第３の強度で発光し、前記第２セグメントは前記第３の強度で発光せず、前記第３セグメントは前記第３の強度で発光せず、
前記所定の量が、前記第１の値よりも大きい第２の値の場合、前記第１セグメントは前記第３の強度で発光し、前記第２セグメントは前記第３の強度で発光し、前記第３セグメントは前記第３の強度で発光せず、
前記所定の量が、前記第２の値よりも大きい第３の値の場合、前記第１セグメントは前記第３の強度で発光し、前記第２セグメントは前記第３の強度で発光し、前記第３セグメントは前記第３の強度で発光する、
入力装置。
【請求項１３】
請求項１２に記載の入力装置であって、
前記第１セグメント群が前記第２の強度で発光している間に、前記検出回路が前記第１セグメント群に沿った指の動作を検出した場合、前記指の動作に対応し前記第１セグメント、前記第２セグメント、前記第３セグメントが順に前記第３の強度で発光する、
入力装置。
【請求項１４】
請求項１３に記載の入力装置であって、
前記指の動作に対応し前記第１セグメント、前記第２セグメント、前記第３セグメントが順に前記第３の強度で発光するのに伴って、前記所定の量が、前記第１の値、前記第２の値、前記第３の値と変化する、
入力装置。
【請求項１５】
請求項１３又は請求項１４に記載の入力装置であって、
前記第１セグメント群が前記第２の強度で発光している間に、前記検出回路が検出する前記第１セグメント群に沿った前記指の動作の指の位置は、前記第１セグメント、前記第２セグメント、又は前記第３セグメントに対応する位置である、
入力装置。
【請求項１６】
請求項１４又は請求項１５に記載の入力装置であって、
前記第１セグメント群が前記第２の強度で発光している間に、前記検出回路が前記第１セグメント群に沿った指の動作を検出した場合、前記指の動作に対応し前記第１セグメント、前記第２セグメント、前記第３セグメントが順に前記第３の強度で発光し、
その後に、前記操作面から前記指が離れた場合、前記第１セグメント、前記第２セグメント、前記第３セグメントが前記第３の強度で発光する状態は保持される、
入力装置。
【請求項１７】
請求項１６に記載の入力装置であって、
前記第２セグメント群は、更に、第４セグメント、第５セグメント、及び第６セグメントを備え、
前記第４セグメント、前記第５セグメント、及び前記第６セグメントは、順に前記第１セグメント群に沿って配置され、
前記第４セグメント、前記第５セグメント、及び前記第６セグメントは、前記所定の量の大きさを示し、
前記所定の量が、前記第３の値よりも大きい第４の値の場合、前記第１セグメントから第４セグメントは前記第３の強度で発光し、前記第５セグメント及び第６セグメントは前記第３の強度で発光せず、
前記所定の量が、前記第４の値よりも大きい第５の値の場合、前記第１セグメントから第５セグメントは前記第３の強度で発光し、第６セグメントは前記第３の強度で発光せず、
前記所定の量が、前記第５の値よりも大きい第６の値の場合、前記第１セグメントから第６セグメントは前記第３の強度で発光し、
前記操作面から前記指が離れた場合、前記第１セグメント、前記第２セグメント、前記第３セグメントが前記第３の強度で発光する状態は保持された後に、再び前記検出回路が前記第１セグメント群に沿った前記指の動作を検出した場合、前記指の動作に対応し前記第４セグメント、前記第５セグメント、前記第６セグメントが順に前記第３の強度で発光する、
入力装置。
【請求項１８】
請求項１から請求項１７のいずれか１項に記載の入力装置であって、
前記検出回路は、前記第１セグメント群又は前記第２セグメント群の内側において、前記操作面に沿った平面座標を検出可能である、
入力装置。
【請求項１９】
請求項１８に記載の入力装置であって、
前記操作面は、前記平面座標が検出可能である所定の領域を有し、
前記検出回路は、前記操作面に沿って、少なくとも所定の方向について平面座標を検出可能であって、
前記操作面は、前記所定の方向を示す表示を有し、
前記表示の少なくとも一部は、前記所定の領域に含まれる、
入力装置。
【請求項２０】
請求項１９に記載の入力装置であって、
前記表示は、矢印で表現される、
入力装置。
【請求項２１】
請求項１８から請求項２０のいずれか１項に記載の入力装置であって、
少なくとも前記第１セグメント群が前記第２の強度で発光している間、前記検出回路は、前記第１セグメント群又は前記第２セグメント群の内側において、前記操作面に沿った平面座標を検出可能である、
入力装置。
【発明の詳細な説明】
【技術分野】
【０００１】
本開示は、自動車等の車両において、例えば音量調整、エアコンの設定温度調整、室内灯の明るさ調整に用いられる入力装置に係り、特にタッチパネルを用いた入力装置に関する。
なお、本開示は、２０１８年１月９日から１２日まで、米国ネバダ州ラスベガスにて開催されたＣＥＳ２０１８に、パナソニック株式会社が展示した車両に関連するものである。
【背景技術】
【０００２】
従来、タッチパネルを用いた入力装置の一例として、例えば特許文献１に記載されたタッチパネル型情報端末装置がある。このタッチパネル型情報端末装置は、互いに分離され、且つ距離を置いて表示されるポインタ部と操作部とからなるタッチャブルポインタをタッチパネル上に表示させ、この状態で、ユーザが操作部を指で移動操作すると、ポインタ部を移動させて、ポインタ先端部により任意のポイント対象を指示するものである。
【先行技術文献】
【特許文献】
【０００３】
【特許文献１】国際公開第２０１７／０１８３８４号
【発明の概要】
【発明が解決しようとする課題】
【０００４】
しかしながら、上述した特許文献１に記載されたタッチパネル型情報端末装置においては、ポインタ部及び操作部をそれぞれ個別に表示することから、表示制御が複雑になり、コスト高になる。
また、ポインタ部は、任意のポイント対象を指示する（用途を主とする）ものであるが、例えば音量、エアコンの設定温度、室内灯の明るさを調整するための入力に向かない訳ではないものの、スムーズで直感的な入力は難しい。
【０００５】
本開示は、表示制御が容易であり、また容易に且つ直感的に入力できる入力装置を提供することを目的とする。
【課題を解決するための手段】
【０００６】
本開示の入力装置は、少なくとも指で接触可能な操作面と、前記操作面に沿って配置され、所定の光を発光可能な発光回路と、前記操作面において、少なくとも指の動作を検出可能な検出回路と、を備え、前記発光回路は、第１セグメント群と第２セグメント群とを少なくとも有し、前記第１セグメント群は、平面視で所定の形に沿って配置され、前記第２セグメント群は、平面視で前記第１セグメント群に沿って配置され、前記検出回路において、所定の入力が受け付け可能でない場合、前記第１セグメント群は、第１の強度で発光し、前記検出回路において、少なくとも前記所定の入力が受け付け可能な場合、前記第１セグメント群が、前記第１の強度より大きい第２の強度で発光し、前記第１セグメント群が前記第２の強度で発光している間に、前記検出回路が前記第１セグメント群に沿った指の動作を検出した場合、前記第２セグメント群の少なくとも一部が発光する。
【０００７】
本開示によれば、表示対象が発光回路の１つのみなので、表示制御が容易になり、低コスト化が図れる。また、操作は、操作面を指でなぞるだけなので、容易に且つ直感的に入力を行うことができる。
【０００８】
本開示の入力装置は、上記構成において、前記第１の強度は、０（ゼロ）である。
【０００９】
本開示によれば、所定の入力が受け付け不可のときは第１セグメント群を非発光状態にするため、入力装置を使用しないときは隠すことができる。
【００１０】
本開示の入力装置は、上記構成において、前記検出回路は、前記操作面と前記発光回路に沿って配置され、前記操作面と前記発光回路の間に配置されたタッチパネル回路である。
【００１１】
本開示によれば、タッチ操作により容易に入力することができる。
【００１２】
本開示の入力装置は、上記構成において、前記第１セグメント群のそれぞれのセグメントは、少なくとも１つのＬＥＤを備え、前記第２セグメント群のそれぞれのセグメントは、少なくとも１つのＬＥＤを備える。
【００１３】
本開示によれば、第１セグメント群と第２セグメント群のそれぞれのセグメントにＬＥＤを用いることで、視認性の向上が図れるとともに省電力化が図れる。
【００１４】
本開示の入力装置は、上記構成において、前記発光回路は、表示回路であって、前記第１セグメント群と前記第２セグメント群は、前記表示回路に表示される画像として表れる。
【００１５】
本開示によれば、第１セグメント群と第２セグメント群を様々な形状の画像として表示することができ、車内色や車内の形状に適した画像、あるいはユーザの好みに応じた画像として表示することができる。また、文字や記号の表示が可能となるので、様々な情報の提供が可能となる。
【００１６】
本開示の入力装置は、上記構成において、前記表示回路は、有機ＥＬ表示回路、もしくはバックライトを備えた液晶表示回路、である。
【００１７】
本開示によれば、有機ＥＬ表示回路、もしくはバックライトを備えた液晶表示回路を用いることで、視認性の向上が図れるとともに、省電力化が図れる。
【００１８】
本開示の入力装置は、上記構成において、前記所定の形は、円である。
【００１９】
本開示によれば、円を描くようになぞることで、例えば音量調整、エアコンの設定温度調整、室内灯の明るさ調整を直感的に行うことができる。
【００２０】
本開示の入力装置は、上記構成において、前記所定の形は、線分である。
【００２１】
本開示によれば、直線状になぞることで、例えば音量調整、エアコンの設定温度調整、室内灯の明るさ調整を直感的に行うことができる。
【００２２】
本開示の入力装置は、上記構成において、前記操作面に沿って配置されたシートを、更に有し、前記シートは、前記所定の光を透過可能である。
【００２３】
本開示によれば、シートによって操作面を保護することができる。
【００２４】
本開示の入力装置は、上記構成において、前記シートは、加飾シートである。
【００２５】
本開示によれば、操作面を保護できることに加えて、見映えを良くすることができる。
【００２６】
本開示の入力装置は、上記構成において、前記加飾シートは、木目を有する。
【００２７】
本開示によれば、加飾シートを木目調とすることで、見映えを良くすることができる。
【００２８】
本開示の入力装置は、上記構成において、前記第２セグメント群は、少なくとも第１セグメント、第２セグメント、及び第３セグメントを備え、前記第１セグメント、前記第２セグメント、及び前記第３セグメントは、順に前記第１セグメント群に沿って配置され、前記第１セグメント、前記第２セグメント、及び前記第３セグメントは、所定の量の大きさを示し、前記所定の量が第１の値の場合、前記第１セグメントは第３の強度で発光し、前記第２セグメントは前記第３の強度で発光せず、前記第３セグメントは前記第３の強度で発光せず、前記所定の量が、前記第１の値よりも大きい第２の値の場合、前記第１セグメントは前記第３の強度で発光し、前記第２セグメントは前記第３の強度で発光し、前記第３セグメントは前記第３の強度で発光せず、前記所定の量が、前記第２の値よりも大きい第３の値の場合、前記第１セグメントは前記第３の強度で発光し、前記第２セグメントは前記第３の強度で発光し、前記第３セグメントは前記第３の強度で発光する。
【００２９】
本開示によれば、第２セグメント群を少なくとも第１セグメント〜第３セグメントで構成し、これらのセグメントの発光により所定の量の大きさを示すことで、例えば音量調整、エアコンの設定温度調整、室内灯の明るさ調整を容易に行うことができる。
【００３０】
本開示の入力装置は、上記構成において、前記第１セグメント群が前記第２の強度で発光している間に、前記検出回路が前記第１セグメント群に沿った指の動作を検出した場合、前記指の動作に対応し前記第１セグメント、前記第２セグメント、前記第３セグメントが順に前記第３の強度で発光する。
【００３１】
本開示によれば、第２セグメント群の第１セグメント〜第３セグメントを指の動作に対応させて、第１セグメント、第２セグメント、第３セグメントの順に第３の強度で発光させることで、例えば音量調整、エアコンの設定温度調整、室内灯の明るさ調整を容易に行うことができる。
【００３２】
本開示の入力装置は、上記構成において、前記指の動作に対応し前記第１セグメント、前記第２セグメント、前記第３セグメントが順に前記第３の強度で発光するのに伴って、前記所定の量が、前記第１の値、前記第２の値、前記第３の値と変化する。
【００３３】
本開示によれば、指の動作に対応して第１セグメント、第２セグメント、第３セグメントを順に第３の強度で発光し、それに伴って、所定の量を第１の値、第２の値、第３の値と変化させるので、例えば音量、エアコンの設定温度、室内灯の明るさの程度を容易に把握することができる。
【００３４】
本開示の入力装置は、上記構成において、前記第１セグメント群が前記第２の強度で発光している間に、前記検出回路が検出する前記第１セグメント群に沿った前記指の動作の指の位置は、前記第１セグメント、前記第２セグメント、又は前記第３セグメントに対応する位置である。
【００３５】
本開示によれば、第１セグメント群に沿う指の動作の指の位置を第２セグメント群の第１セグメント〜第３セグメントに対応させるので、例えば音量、エアコンの設定温度、室内灯の明るさを容易に調整することができる。
【００３６】
本開示の入力装置は、上記構成において、前記第１セグメント群が前記第２の強度で発光している間に、前記検出回路が前記第１セグメント群に沿った指の動作を検出した場合、前記指の動作に対応し前記第１セグメント、前記第２セグメント、前記第３セグメントが順に前記第３の強度で発光し、その後に、前記操作面から前記指が離れた場合、前記第１セグメント、前記第２セグメント、前記第３セグメントが前記第３の強度で発光する状態は保持される。
【００３７】
本開示によれば、第１セグメント群に沿って指を動作させた後、操作面から指が離れた場合、操作面から指が離れる直前の第１セグメント、第２セグメント、第３セグメントの発光状態を保持するので、例えば音量、エアコンの設定温度、室内灯の明るさを調整した状態を維持していることを視認することができる。
【００３８】
本開示の入力装置は、上記構成において、前記第２セグメント群は、更に、第４セグメント、第５セグメント、及び第６セグメントを備え、前記第４セグメント、前記第５セグメント、及び前記第６セグメントは、順に前記第１セグメント群に沿って配置され、前記第４セグメント、前記第５セグメント、及び前記第６セグメントは、前記所定の量の大きさを示し、前記所定の量が、前記第３の値よりも大きい第４の値の場合、前記第１セグメントから第４セグメントは前記第３の強度で発光し、前記第５セグメント及び第６セグメントは前記第３の強度で発光せず、前記所定の量が、前記第４の値よりも大きい第５の値の場合、前記第１セグメントから第５セグメントは前記第３の強度で発光し、第６セグメントは前記第３の強度で発光せず、前記所定の量が、前記第５の値よりも大きい第６の値の場合、前記第１セグメントから第６セグメントは前記第３の強度で発光し、前記操作面から前記指が離れた場合、前記第１セグメント、前記第２セグメント、前記第３セグメントが前記第３の強度で発光する状態は保持された後に、再び前記検出回路が前記第１セグメント群に沿った前記指の動作を検出した場合、前記指の動作に対応し前記第４セグメント、前記第５セグメント、前記第６セグメントが順に前記第３の強度で発光する。
【００３９】
本開示によれば、第２セグメント群を少なくとも第１セグメント〜第６セグメントで構成して、所定の量の大きさを示すようにしたので、例えば音量、エアコンの設定温度、室内灯の明るさを細かく調整することができる。
【００４０】
本開示の入力装置は、上記構成において、前記検出回路は、前記第１セグメント群又は前記第２セグメント群の内側において、前記操作面に沿った平面座標を検出可能である。
【００４１】
本開示によれば、操作面に沿った平面座標を検出し、検出した平面座標を他の装置に出力することができる。
【００４２】
本開示の入力装置は、上記構成において、前記操作面は、前記平面座標が検出可能である所定の領域を有し、前記検出回路は、前記操作面に沿って、少なくとも所定の方向について平面座標を検出可能であって、前記操作面は、前記所定の方向を示す表示を有し、前記表示の少なくとも一部は、前記所定の領域に含まれる。
【００４３】
本開示によれば、操作面に対する指の動き量を平面座標の変化として出力できる。
【００４４】
本開示の入力装置は、上記構成において、前記表示は、矢印で表現される。
【００４５】
本開示によれば、所定の方向を示す表示を矢印で表現することで、直感的な操作が可能となる。
【００４６】
本開示の入力装置は、上記構成において、少なくとも前記第１セグメント群が前記第２の強度で発光している間、前記検出回路は、前記第１セグメント群又は前記第２セグメント群の内側において、前記操作面に沿った平面座標を検出可能である。
【００４７】
本開示によれば、第１セグメント群が第２の強度で発光している間のみ平面座標を検出することができる。
【発明の効果】
【００４８】
本開示によれば、表示制御が容易であり、また例えば音量、エアコンの設定温度、室内灯の明るさを調整するための入力を容易に且つ直感的に行うことができる。
【図面の簡単な説明】
【００４９】
【図１】実施形態の入力装置を含む車載装置の概略構成を示すブロック図
【図２】実施形態の入力装置の構造を示す断面図
【図３】実施形態の入力装置を含む車載装置を備えた車両を示す透視図
【図４】実施形態の入力装置を含む車載装置を備えた車両の車室を示す斜視図
【図５】実施形態の入力装置の発光回路が発光していないときの状態を示す平面図
【図６】実施形態の入力装置の発光回路が発光しているときの状態を示す平面図
【図７】実施形態の入力装置の第２セグメント群に対する表示制御を説明するための図
【図８】実施形態の入力装置の第２セグメント群に対する表示制御を説明するための図
【図９】実施形態の入力装置の第２セグメント群に対する表示制御を説明するための図
【図１０】実施形態の入力装置における第１セグメント群に沿った指の連続動作を示す図
【図１１】実施形態の入力装置における第２セグメント群の端部で指を動かしている例を示す図
【図１２】実施形態の入力装置における第２セグメント群において６つのセグメントに対する表示制御を説明するための図
【図１３】実施形態の入力装置における第２セグメント群において６つのセグメントに対する表示制御を説明するための図
【図１４】実施形態の入力装置における第２セグメント群において６つのセグメントに対する表示制御を説明するための図
【図１５】実施形態の入力装置の平面座標の入力領域を示す平面図
【図１６】実施形態の入力装置の制御回路の動作を説明するためのフローチャート
【図１７】実施形態の入力装置の変形例で、線状とした第１セグメント群と棒状とした第２セグメント群を示す平面図
【図１８】実施形態の入力装置の変形例で、加飾シートを有する入力装置を示す平面図
【図１９】実施形態の入力装置の変形例で、線状とした第１セグメント群と棒状とした第２セグメント群を備えるとともに加飾シートを有する入力装置を示す平面図
【発明を実施するための形態】
【００５０】
以下、適宜図面を参照しながら、本開示に係る入力装置を具体的に開示した実施形態（以下、「本実施形態」という）を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。なお、添付図面および以下の説明は、当業者が本開示を十分に理解するために提供されるのであって、これらにより特許請求の範囲に記載の主題を限定することは意図されていない。
【００５１】
以下、本開示を実施するための好適な本実施形態について、図面を参照して詳細に説明する。
【００５２】
以下、図１を参照して、本実施形態の入力装置１０について説明する。図１は、本実施形態の入力装置１０を含む車載装置１の概略構成を示すブロック図である。同図において、車載装置１は、車両（図３参照）２０に搭載されるものであり、表示パネル２と、スピーカ３と、入力装置１０とを備える。表示パネル２には、所定のコンテンツが表示される。スピーカ３は、表示パネル２に表示される所定のコンテンツに伴う音声を出力する。車載装置１に含まれる入力装置１０は、例えば表示パネル２に表示される所定のコンテンツに対する音量を設定する入力や、エアコンの温度を設定する入力や、室内灯の明るさを設定する入力を行う。
【００５３】
図２は、本実施形態の入力装置１０の構造を示す断面図である。同図において、入力装置１０は、少なくとも指で接触可能な操作面１１と、操作面１１の下面側で操作面１１に沿って配置されたシート１２と、シート１２の下面側で操作面１１に沿って配置され、可視光（所定の光）を発光可能な発光回路（表示回路）１３と、操作面１１と発光回路１３の間で、操作面１１と発光回路１３に沿って配置され、操作面１１において、少なくとも指の動作を検出可能なタッチパネル回路（検出回路）１４と、を備える。
【００５４】
シート１２は、タッチパネル回路１４に両面テープ又は接着剤で貼るか、直接印刷するようにしてもよい。発光回路１３は、有機ＥＬ（Electro Luminescence）表示回路、もしくはバックライトを備えた液晶表示回路である。シート１２とタッチパネル回路１４は透過性を有し、発光回路１３で発光された光を透過させる。タッチパネル回路１４には、例えば超音波表面弾性波、抵抗膜又は静電容量の方式のタッチパネルが用いられる。
【００５５】
また、図２には示していないが、本実施形態の入力装置１０は制御回路４も備えている。制御回路４は、車載装置１の表示パネル２に対する表示制御、スピーカ３へ音声信号の出力、入力装置１０の発光回路１３に対する発光制御、タッチパネル回路１４の接触位置を示す情報信号の取り込みを行う。制御回路４は、図示せぬＣＰＵ（Central Processing Unit）、ＲＯＭ（Read Only Memory）、ＲＡＭ（Random Access Memory）、インタフェース及び記憶装置等を備える。ＲＯＭには、ＣＰＵを制御するためのプログラムが記憶されている。ＲＡＭはＣＰＵの動作において使用されるワークメモリである。インタフェースは、表示パネル２、発光回路１３及びタッチパネル回路１４をＣＰＵに接続する。制御回路４にはタイマー４１が設けられており、このタイマー４１は入力操作における入力受付可能時間を設定するものである。例えば、タイマー４１が１０秒間に設定された場合、１０秒間を超える入力は受け付けられなくなる。入力装置１０の車両２０内における配置場所として、例えば肘掛け部２７（図３又は図４参照）又はその近傍が好適である。
【００５６】
ここで、車載装置１を搭載した車両２０について説明する。図３は、車両２０を示す透視図である。図４は、図３の車両２０の車室２１を示す斜視図である。図３に示すように、車両２０は道路運送車両法に基づく自動車において自動走行可能な自動車を一例に挙げている。車両２０は、車室２１を備えた車体２２と、車室２１内に配置された第１座席２３，第２座席２４及び第３座席２５と、車室２１の一部を構成する床面２６と、を備える。車載装置１の表示パネル２は、車室２１の側面に配置され、車室２１内と車外を隔てている。車載装置１のスピーカ３は、車室２１の側面において表示パネル２の下方に配置される。車載装置１の入力装置１０は、第１座席２３と第３座席２５との間の肘掛け部２７に配置される。
【００５７】
第１座席２３と第２座席２４は、車室２１の側面に沿って配置されている。即ち、Ｘ軸方向を車両２０の前進方向とした場合、Ｘ軸方向に沿って配置されている。第３座席２５は、Ｘ軸方向と直角のＹ軸方向で、第１座席２３の左隣に配置されている。第１座席２３は背凭れ２３１を有し、第２座席２４は背凭れ２４１を有し、第３座席２５は背凭れ２５１を有する。第１座席２３と第３座席２５は共に１人用の座席であり、第２座席２４は複数人用の座席（所謂ベンチシートと呼ばれる）である。第１座席２３は、回転軸を備え、該回転軸を中心に回動して、車両２０の前進方向に向けることも、車両２０の後進方向即ち第２座席２４と向かい合う方向に向けることが可能になっている。第１座席２３と第２座席２４が向かい合うように配置した場合、第１座席２３の背凭れ２３１と第２座席２４の背凭れ２４１は対向することになる。
【００５８】
第１座席２３の背凭れ２３１と第２座席２４の背凭れ２４１とが対向して、第１座席２３に座っている搭乗者と第２座席２４に座っている搭乗者とが対面でき、搭乗者同士の対面会話が可能となる。第１座席２３の背凭れ２３１と第２座席２４の背凭れ２４１との対向は、第１座席２３の搭乗者と第２座席２４の搭乗者とが真正面に向き合う必要は無く、会話や打合せができる程度に対面している状態であれば良い。第３座席２５も回転軸を有して回動自在であっても良く、自動または手動での第３座席２５の回転が可能である。
【００５９】
なお、車両２０では、車載装置１の表示パネル２を車両２０の前進方向右側の側面の第１座席２３と第２座席２４の間に配置しているが、車両２０の前進方向左側の側面の第３座席２５と第２座席２４の間に配置することも勿論可能である。また、当然ながら双方に配置することも可能である。また、車載装置１のスピーカ３においても、車両２０の前進方向右側の側面の第１座席２３と第２座席２４の間に限定されず、車両２０の前進方向左側の側面の第３座席２５と第２座席２４の間に配置することも可能であり、双方に配置することも勿論可能である。
【００６０】
次に、本実施形態の入力装置１０の制御回路４による発光制御について説明する。図５は、発光回路１３が発光していないときの状態を示す平面図である。図６は、発光回路１３が発光しているときの状態を示す平面図である。図５及び図６において、発光回路１３は、第１セグメント群１１１と、第２セグメント群１１２とを有する。第１セグメント群１１１は、それぞれが長方形を成す複数のセグメント１１１１を有し、各セグメント１１１１が平面視で円に沿って配置されたものである。また、第１セグメント群１１１の内側には、それぞれが所定の方向を示す矢印で表現されたセグメント１１１２が存在し、これらのセグメント１１１２が９０度間隔で配置されている。第１セグメント群１１１の各セグメント１１１１、及び第１セグメント群１１１の内側に存在するセグメント１１１２は、少なくとも１つのＬＥＤ（Light Emitting Diode）を備える。第２セグメント群１１２は、それぞれが円弧形を成す複数のセグメント（図５及び図６では図示略）を有し、各セグメントが平面視で円弧に沿って配置されたものである。第２セグメント群１１２の各セグメントは、少なくとも１つのＬＥＤを備える。
【００６１】
第１セグメント群１１１は、車両２０が始動すると第１の強度で発光する。即ち、第１セグメント群１１１は、所定の入力が受け付け可能でない場合、第１の強度をゼロとすると発光せず、所定の入力が受け付け可能な場合、第１の強度より大きい第２の強度で発光する。図５では、発光回路１３が発光していないことを表すため、第１セグメント群１１１の各セグメント１１１１を塗り潰し無しの枠で示すとともに、各セグメント１１１２を破線で示し、第２セグメント群１１２を細い実線で示している。一方、図６では、発光回路１３が発光していることを表すため、第１セグメント群１１１の各セグメント１１１１を塗り潰した枠で示すとともに、各セグメント１１１２を実線で示している。
【００６２】
車両２０が始動している状態で、所定の入力が行われていないときは（即ちユーザが操作面１１に触れていないときは）、第１セグメント群１１１が第１の強度で発光し、第２セグメント群１１２は発光しない。この場合、第１の強度をゼロとすると、第１セグメント群１１１も発光しない。所定の入力が行われたときは（即ちユーザが操作面１１に触れたときは）、第１セグメント群１１１が第１の強度より大きい第２の強度で発光し、第２セグメント群１１２は指の動きに応じて少なくとも一部が発光する。ここで、図６に示すように、第２セグメント群１１２では、最初に所定の入力が行われたときに、図面に向かって左側の端部１１２−Ａが発光状態になる。このような発光を行うことで、入力操作を行う目印となり、操作性の向上が図れる。ユーザは第１セグメント群１１１の発光を確認することで、入力装置１０が起動状態になった（即ち、入力が可能になった）ことを認識できる。
【００６３】
ここで、上述した所定の入力とは、操作面１１をツータップする（即ち、操作面１１を２回トントンと連続して叩く）操作による入力である。このツータップを行うことで、制御回路４がタッチパネル回路１４の出力から当該操作を検知し、発光回路１３を制御する。なお、操作面１１をツータップする理由としては、ユーザの意思をもっての操作を受け付けるためである。即ち、意図することなく入力受付可能となることを防止するためにそのようにしている。但し、ワンタップにしても構わない。
【００６４】
ここで、第２セグメント群１１２が第１セグメント１１２−１、第２セグメント１１２−２及び第３セグメント１１２−３の３つのセグメントを備え、これらのセグメント１１２−１〜１１２−３が、順に第１セグメント群１１１に沿って配置されている場合の制御回路４による表示制御について説明する。
【００６５】
図７〜図９は、第２セグメント群１１２において３つのセグメントに対する表示制御を説明するための図である。なお、この表示制御は、所定の入力が受け付け可能な場合で、第１セグメント群１１１が第１の強度より大きい第２の強度で発光している間で行われる。
【００６６】
図７において、第２セグメント群１１２の第１セグメント１１２−１、第２セグメント１１２−２及び第３セグメント１１２−３は、所定の量の大きさを示し、この所定の量が第１の値の場合、制御回路４は、第１セグメント１１２−１を第３の強度で発光させ、第２セグメント１１２−２及び第３セグメント１１２−３を第３の強度で発光させない。即ち、タッチパネル回路１４が第１セグメント群１１１に沿った指３０の動作を検出し、現在の指３０の位置が第１セグメント１１２−１に対応する位置の場合、制御回路４は、第１セグメント１１２−１を第３の強度で発光させ、第２セグメント１１２−２及び第３セグメント１１２−３を第３の強度で発光させない。より具体的には、制御回路４は、第１セグメント群１１１に沿った指３０の動きがあると、指３０の動き量（△Ｘ，△Ｙ）を取得し、取得した動き量（△Ｘ，△Ｙ）を第２セグメント群１１２の変化量に置き換えて、第２セグメント群１１２の発光を変化させる。ここで、第３の強度は第２の強度と同じでもよい。
【００６７】
なお、所定の量とは、例えば音量を決定する値、エアコンの設定温度を決定する値、室内灯の明るさを決定する値である。所定の量が第１の値の場合、音量は一番小さく、エアコンの設定温度は一番低く、室内灯の明るさは一番暗い状態となる。
【００６８】
図８において、所定の量が、第１の値よりも大きい第２の値の場合、制御回路４は、第１セグメント１１２−１及び第２セグメント１１２−２を第３の強度で発光させ、第３セグメント１１２−３を第３の強度で発光させない。即ち、タッチパネル回路１４が第１セグメント群１１１に沿った指３０の動作を検出し、現在の指３０の位置が第２セグメント１１２−２に対応する位置の場合、制御回路４は、第１セグメント１１２−１及び第２セグメント１１２−２を第３の強度で発光させ、第３セグメント１１２−３を第３の強度で発光させない。
【００６９】
図９において、所定の量が、第２の値よりも大きい第３の値の場合、制御回路４は、第１セグメント１１２−１〜第３セグメント１１２−３の全てを第３の強度で発光させる。即ち、タッチパネル回路１４が第１セグメント群１１１に沿った指３０の動作を検出し、現在の指３０の位置が第３セグメント１１２−３に対応する位置の場合、制御回路４は、第１セグメント１１２−１〜第３セグメント１１２−３の全てを第３の強度で発光させる。
【００７０】
このように、タッチパネル回路１４が第１セグメント群１１１に沿った指３０の動作を検出した場合、制御回路４は、指３０の動作に対応して、第１セグメント１１２−１、第２セグメント１１２−２、第３セグメント１１２−３を順に第３の強度で発光させる。第１セグメント１１２−１、第２セグメント１１２−２、第３セグメント１１２−３が順に第３の強度で発光するのに伴い、所定の量が、第１の値、第２の値、第３の値と変化する。図１０は、第１セグメント群１１１に沿った指３０の連続動作を示す図である。矢印３５に示すように、第１セグメント１１２−１から第３セグメント１１２−３に向けて指３０を連続して動かすと、第１セグメント１１２−１〜第３セグメント１１２−３が順に第３の強度で発光するとともに、所定の量が、第１の値、第２の値、第３の値と変化する。
【００７１】
また、指３０の動作に対応し、第１セグメント１１２−１、第２セグメント１１２−２、第３セグメント１１２−３を順に第３の強度で発光した後に、操作面１１から指３０が離れた場合、制御回路４は、第１セグメント１１２−１、第２セグメント１１２−２、第３セグメント１１２−３が第３の強度で発光する状態を保持する。
【００７２】
なお、指３０を第１セグメント１１２−１〜第３セグメント１１２−３の近傍で時計回り方向に動かす以外に、第２セグメント群１１２に沿った位置であれば、どの位置でも指３０を時計回り方向に動かせば、第１セグメント１１２−１〜第３セグメント１１２−３の順で発光するとともに、所定の量が、第１の値、第２の値、第３の値と変化する。図１１は、第２セグメント群１１２の図面に向かって右側の端部で指３０を動かしている例を示す図である。矢印３６に示すように、第２セグメント群１１２の図面に向かって右側の端部で指３０が時計回り方向に動かされている。
【００７３】
図１２〜図１４は、第２セグメント群１１２において６つのセグメントに対する表示制御を説明するための図である。なお、この表示制御は、所定の入力が受け付け可能な場合で、第１セグメント群１１１が第１の強度より大きい第２の強度で発光している間で行われる。また、第２セグメント群１１２の第１セグメント１１２−１、第２セグメント１１２−２及び第３セグメント１１２−３に対する制御は、前述した通りなので説明を省略し、第４セグメント１１２−４、第５セグメント１１２−５及び第６セグメント１１２−６に対する制御についてのみ説明する。
【００７４】
図１２において、第２セグメント群１１２の第４セグメント１１２−４、第５セグメント１１２−５及び第６セグメント１１２−６は、順に第１セグメント群１１１に沿って配置され、これらのセグメント１１２−４〜１１２−６は、所定の量の大きさを示し、この所定の量が第３の値よりも大きい第４の値の場合、制御回路４は、第１セグメント１１２−１から第４セグメント１１２−４を第３の強度で発光させ、第５セグメント１１２−５及び第６セグメント１１２−６を第３の強度で発光させない。即ち、タッチパネル回路１４が第１セグメント群１１１に沿った指３０の動作を検出し、現在の指３０の位置が第４セグメント１１２−４に対応する位置の場合、制御回路４は、第１セグメント１１２−１から第４セグメント１１２−４を第３の強度で発光させ、第５セグメント１１２−５及び第６セグメント１１２−６を第３の強度で発光させない。
【００７５】
図１３において、所定の量が、第４の値よりも大きい第５の値の場合、制御回路４は、第１セグメント１１２−１から第５セグメント１１２−５を第３の強度で発光させ、第６セグメント１１２−６を第３の強度で発光させない。即ち、タッチパネル回路１４が第１セグメント群１１１に沿った指３０の動作を検出し、現在の指３０の位置が第５セグメント１１２−５に対応する位置の場合、制御回路４は、第１セグメント１１２−１から第５セグメント１１２−５を第３の強度で発光させ、第６セグメント１１２−６を第３の強度で発光させない。
【００７６】
図１４において、所定の量が、第５の値よりも大きい第６の値の場合、制御回路４は、第１セグメント１１２−１から第６セグメント１１２−６の全てを第３の強度で発光させる。即ち、タッチパネル回路１４が第１セグメント群１１１に沿った指３０の動作を検出し、現在の指３０の位置が第６セグメント１１２−６に対応する位置の場合、制御回路４は、第１セグメント１１２−１から第６セグメント１１２−６の全てを第３の強度で発光させる。
【００７７】
第１セグメント１１２−１、第２セグメント１１２−２及び第３セグメント１１２−３が第３の強度で発光しているときに、操作面１１から指３０が離れた場合、制御回路４は、第１セグメント１１２−１、第２セグメント１１２−２及び第３セグメント１１２−３を第３の強度で発光する状態を保持する。その後、再びタッチパネル回路１４が第１セグメント群１１１に沿った指３０の動作を検出した場合、制御回路４は、指３０の動作に対応し第４セグメント１１２−４、第５セグメント１１２−５、第６セグメント１１２−６の順に第３の強度で発光させる。
【００７８】
このように、タッチパネル回路１４が第１セグメント群１１１に沿った指３０の動作を検出した場合、制御回路４は、指３０の動作に対応して、第１セグメント１１２−１、第２セグメント１１２−２、第３セグメント１１２−３、第４セグメント１１２−４、第５セグメント１１２−５、第６セグメント１１２−６を順に第３の強度で発光させる。第１セグメント１１２−１〜第６セグメント１１２−６が順に第３の強度で発光するのに伴い、所定の量が、第１の値、第２の値、第３の値、第４の値、第５の値、第６の値と変化する。
【００７９】
一方、入力装置１０は、平面座標を入力できる機能を有している。図１５は、入力装置１０の平面座標の入力領域を示す平面図である。入力装置１０は、操作面１１に平面座標が検出可能である入力領域（所定の領域）１５０を有する。タッチパネル回路１４は、操作面１１に沿って、少なくとも所定の方向（例えば、矢印３７で示す方向）について平面座標を検出可能である。所定の方向は、第１セグメント群１１１の矢印形のセグメント１１１２（図５参照）にて確認することができる。なお、所定の方向の確認にセグメント１１１２を用いることなく、単に操作面１１に所定の方向を示す表示をマーキングするようにしても構わない。また、矢印形のセグメント１１１２は、少なくとも一部が所定の領域１５０に含まれていればよい。
【００８０】
入力装置１０の平面座標入力機能においては、少なくとも第１セグメント群１１１が第２の強度で発光している間、タッチパネル回路１４が、第１セグメント群１１１又は第２セグメント群１１２の内側において、操作面１１で指３０の動作を検出すると、制御回路４が指３０の動き量を取得し、平面座標の変化として出力する。所定の方向を示す表示を矢印で表現することで、直感的な操作が可能となる。
【００８１】
図１６は、入力装置１０の制御回路４の動作を説明するためのフローチャートである。なお、本動作説明においては、入力装置１０が起動していない状態で、第１セグメント群１１１が第１の強度で発光しているものとする。
図１６において、制御回路４は、入力装置１０が起動状態にないとき、第１セグメント群１１１を第１の強度で発光させ、第２セグメント群１１２は発光させない（ステップＳ１０）。ここで、第１の強度をゼロとすると、第１セグメント群１１１も発光させない。制御回路４は、この状態で入力受付可能かどうか判定する（ステップＳ１１）。即ち、制御回路４は、タッチパネル回路１４の出力から、操作面１１に対してツータップが行われたかどうか判定する。制御回路４は、操作面１１に対してツータップが行われていないと判定すると、入力受付不可能と判定して（ステップＳ１１で「ＮＯ」と判定して）ステップＳ１０に戻る。制御回路４は、操作面１１に対してツータップが行われたと判定すると、入力受付可能と判定して（ステップＳ１１で「ＹＥＳ」と判定して）タイマー４１を設定する（ステップＳ１２）。
【００８２】
制御回路４は、タイマー４１を設定した後、第１セグメント群１１１を第２の強度で発光させる（ステップＳ１３）。次いで、第１セグメント群１１１に沿った指３０の動作があるかどうか判定し（ステップＳ１４）、第１セグメント群１１１に沿った指３０の動作がないと判定すると（ステップＳ１４で「ＮＯ」と判定すると）、第１セグメント群１１１内の操作面に指３０の動作があるかどうか判定する（ステップＳ１５）。制御回路４は、第１セグメント群１１１内の操作面に指３０の動作がないと判定すると（ステップＳ１５で「ＮＯ」と判定すると）、タイマータイムアウトかどうか判定する（ステップＳ１６）。制御回路４は、タイマータイムアウトしていないと判定すると（ステップＳ１６で「ＮＯ」と判定すると）、ステップＳ１３に戻り、タイマータイムアウトしたと判定すると（ステップＳ１６で「ＹＥＳ」と判定すると）、ステップＳ１０に戻る。
【００８３】
制御回路４は、設定されたタイマー時間内で第１セグメント群１１１に沿った指３０の動作があると判定すると（ステップＳ１４で「ＹＥＳ」と判定すると）、タッチパネル回路１４の出力から指３０の動き量（△Ｘ，△Ｙ）を取得する（ステップＳ１７）。そして、取得した指３０の動き量（△Ｘ，△Ｙ）を第２セグメント群１１２の変化量に置き換えて、第２セグメント群１１２の発光を変化させる（ステップＳ１８）。例えば、指３０の動き量が、第２セグメント群１１２の第３セグメント１１２−３までの変化量に対応すれば、第２セグメント群１１２の第１セグメント１１２−１〜第３セグメント１１２−３を第３の強度で発光させる。制御回路４は、第２セグメント群１１２の発光を変化させた後、ステップＳ１２に戻る。
【００８４】
また、制御回路４は、設定されたタイマー時間内で第１セグメント群１１１内の操作面に指３０の動作があると判定すると（ステップＳ１５で「ＹＥＳ」と判定すると）、タッチパネル回路１４の出力から指３０の動き量（△Ｘ，△Ｙ）を取得し（ステップＳ１９）、平面座標の変化として他の装置に出力する（ステップＳ２０）。制御回路４は、取得した指３０の動き量（△Ｘ，△Ｙ）を平面座標の変化として他の装置に出力した後、ステップＳ１２に戻る。
【００８５】
以上のように、本実施形態の入力装置１０は、少なくとも指３０で接触可能な操作面１１と、操作面１１に沿って配置され、可視光を発光可能な発光回路１３と、操作面１１において、少なくとも指３０の動作を検出可能なタッチパネル回路１４と、タッチパネル回路１４の出力に基づいて発光回路１３を制御する制御回路４と、を備え、発光回路１３は、第１セグメント群１１１と第２セグメント群１１２を有し、第１セグメント群１１１は、平面視で円に沿って配置され、第２セグメント群１１２は、平面視で第１セグメント群１１１に沿って配置され、制御回路４は、タッチパネル回路１４において、所定の入力が受け付け可能でない場合、第１セグメント群１１１を第１の強度で発光させ、タッチパネル回路１４において、所定の入力が受け付け可能な場合、第１セグメント群１１１を、第１の強度より大きい第２の強度で発光させ、第１セグメント群１１１が第２の強度で発光している間に、タッチパネル回路１４が第１セグメント群１１１に沿った指３０の動作を検出した場合、第２セグメント群１１２の少なくとも一部を発光させるので、表示制御が容易であり、また例えば音量設定、エアコンの設定温度設定、室内灯の明るさ設定を行うための入力を容易に且つ直感的に行うことができる。
【００８６】
なお、本実施形態の入力装置１０においては、第２セグメント群１１２を構成する複数のセグメント１１２−１，１１２−２，…を連続的に配置したが、離散的に配置するようにしてもよい。
【００８７】
また、本実施形態の入力装置１０においては、第１セグメント群１１１の各セグメント１１１１を円形に沿って配置させたが、線分に沿って配置するようにしてもよい。この場合、第２セグメント群１１２の各セグメント１１２−１，１１２−２，…は第１セグメント群１１１に沿って配置されるので、棒状になる。図１７は、線状とした第１セグメント群１１１Ｂと棒状とした第２セグメント群１１２Ｂを示す平面図である。同図に示す例では、第２セグメント群１１２Ｂの下端部分１１２Ｂ−１で発光を行うようにしている。
【００８８】
また、本実施形態の入力装置１０においては、シート１２を透過性のあるものとしたが、例えば木目を有する加飾シートとすることも可能であり、加飾シートを採用することで、見映えの向上が図れる。図１８は、本実施形態の入力装置１０に加飾シート１２Ｂを採用した例を示す平面図である。図１９は、線状とした第１セグメント群１１１Ｂと棒状とした第２セグメント群１１２Ｂを有する入力装置に加飾シート１２Ｂを採用した例を示す平面図である。
【００８９】
また、本実施形態の入力装置１０においては、発光回路１３にて第１セグメント群１１１と第２セグメント群１１２を発光させるようにしたが、発光回路１３を表示回路として、第１セグメント群１１１と第２セグメント群１１２を、該表示回路に表示される画像として表れるようにしてもよい。
【００９０】
また、本実施形態の入力装置１０においては、主に発光セグメント数が増加していく場合を説明したが、指３０を逆方向（反時計回り方向）に摺動させれば、発光セグメント数が減少していくことになる。
【産業上の利用可能性】
【００９１】
本開示の入力装置は、自動車等の車両において、例えば音量調整、エアコンの設定温度調整、室内灯の明るさ調整に用いられる入力装置に有用である。
【符号の説明】
【００９２】
１  車載装置
２  表示パネル
３  スピーカ
４  制御回路
１０  入力装置
１１  操作面
１２  シート
１２Ｂ  加飾シート
１３  発光回路
１４  タッチパネル回路
２０  車両
２１  車室
２２  車体
２３  第１座席
２４  第２座席
２５  第３座席
２６  床面
２７  肘掛け部
３０  指
３５，３６，３７  矢印
４１  タイマー
１１１，１１１Ｂ  第１セグメント群
１１２，１１２Ｂ  第２セグメント群
１１２−１  第２セグメント群を構成する第１セグメント
１１２−２  第２セグメント群を構成する第２セグメント
１１２−３  第２セグメント群を構成する第３セグメント
１１２−４  第２セグメント群を構成する第４セグメント
１１２−５  第２セグメント群を構成する第５セグメント
１１２−６  第２セグメント群を構成する第６セグメント
１５０  入力領域
１１１１  第１セグメント群を構成するセグメント
１１１２  第１セグメント群の内側に存在するセグメント
【図１】
2020086830.tif 000003
【図２】
2020086830.tif 000004
【図３】
2020086830.tif 000005
【図４】
2020086830.tif 000006
【図５】
2020086830.tif 000007
【図６】
2020086830.tif 000008
【図７】
2020086830.tif 000009
【図８】
2020086830.tif 000010
【図９】
2020086830.tif 000011
【図１０】
2020086830.tif 000012
【図１１】
2020086830.tif 000013
【図１２】
2020086830.tif 000014
【図１３】
2020086830.tif 000015
【図１４】
2020086830.tif 000016
【図１５】
2020086830.tif 000017
【図１６】
2020086830.tif 000018
【図１７】
2020086830.tif 000019
【図１８】
2020086830.tif 000020
【図１９】
2020086830.tif 000021